(57)【要約】【課題】  ハーフミラーを用いることなく、より簡便に文字や絵柄を表し、また消すことが自在にできる表示具を提供する。【解決手段】  表面１０１から裏面１０２に貫通する大径の貫通孔１１Ｃが空けられている板状の表示板１０と、表示板１０の裏面１０２に設けられると共に、大径の貫通孔１１Ｃの内壁面１１Ｃ１１とほぼ同じ色をした、光透過性を持つシート２０とを備える。【選択図】  図１
2010020038.tif 000002
【特許請求の範囲】
【請求項１】
表面から裏面に貫通する第１の貫通孔が１つ以上空けられている板状の表示板と、
前記表示板の裏面に設けられると共に、前記第１の貫通孔の内壁面とほぼ同じ色をした、光透過性を持つシートと、
を備え、前記第１の貫通孔の配置により前記表示板の表面に模様等の表示対象を形成したことを特徴とする表示具。
【請求項２】
前記表示板は、前記第１の貫通孔とほぼ同形の窪みを備え、
前記表示板の表面には、該表面にメッシュ模様を形成するためのメッシュ形成位置に、前記各第１の貫通孔を配置して模様等の表示対象が形成され、前記メッシュ形成位置であり、かつ、前記第１の貫通孔が未配置のところに、前記窪みが配置されていることを特徴とする請求項１に記載の表示具。
【請求項３】
前記表示板は、該表示板の表面から裏面に貫通し、前記第１の貫通孔が前記表示板の表面に形成する形状とほぼ同じ孔形状を持ち、透過光の一部を遮光する遮光部を持つ第２の貫通孔を備え、
前記第１の貫通孔と前記第２の貫通孔とで模様等の表示対象を形成したことを特徴とする請求項２に記載の表示具。
【請求項４】
前記第２の貫通孔には、前記遮光部の遮光する光の量がそれぞれ異なる複数の種類があることを特徴とする請求項３に記載の表示具。
【請求項５】
前記表示板の表面と前記各貫通孔の内壁面との両方を、または、前記各貫通孔の内壁面を、任意の色の前記シートと同一の色にしたことを特徴とする請求項１〜４のいずれか１項に記載の表示具。
【発明の詳細な説明】
【技術分野】
【０００１】
この発明は、絵や文字、模様などの表示対象が出現し、また、表示されている表示対象が消える表示具に関する。
【背景技術】
【０００２】
絵や文字、模様などの表示対象が例えば光源を点灯することで出現する表示装置があり、この表示装置には、ハーフミラーを用いるものがある（例えば、特許文献１参照。）。この表示装置は、ハーフミラーの背面に、文字や絵柄が描かれた光透過材料を備え、さらに、この光透過材料の背面から光を当てる光源体を備えている。通常、この表示装置は光源体を点灯して、光透過材料に描かれた文字や絵柄を、ハーフミラーの前面から見えるようにしている。この場合、文字や絵柄は表示装置から離れた所で視認可能である。また、表示装置付近を人が通ると、この装置は光源体を消灯して、ハーフミラーの前面から文字や絵柄が見えないようにしている。
【０００３】
このように、この表示装置は、光源体の点灯と消灯により、文字や絵柄を出現させ、また、文字や絵柄を消している。
【特許文献１】特開２００８−２０５８１号公報
【発明の開示】
【発明が解決しようとする課題】
【０００４】
ところで、先に述べた表示装置は、文字や絵柄が描かれた光透過材料をハーフミラーの背面に配置する構造である。このため、ハーフミラーと光透過材料とを保持する外枠が必要である。また、衝撃等でハーフミラーが破損するおそれもある。さらに、曲面による表示も難しい等、部材としてハーフミラーを使うことからくる設計上、使用上の制約が様々ある。
【０００５】
この発明の目的は、前記の課題を解決し、ハーフミラーを用いることなく、より簡便に文字や絵柄を表し、また消すことが自在にできる表示具を提供することにある。
【課題を解決するための手段】
【０００６】
前記の課題を解決するために、請求項１の発明は、表面から裏面に貫通する第１の貫通孔が１つ以上空けられている板状の表示板と、前記表示板の裏面に設けられると共に、前記第１の貫通孔の内壁面とほぼ同じ色をした、光透過性を持つシートとを備え、前記第１の貫通孔の配置により前記表示板の表面に模様等の表示対象を形成したことを特徴とする表示具である。
【０００７】
請求項１の発明では、表示板の表面を反射光で見る場合と、表示板の裏面に光を当てて表示板を見る場合とで二通りの表示対象の表示が可能である。つまり、表示板の表面を反射光で見る場合には、第１の貫通孔の内壁面と貫通孔の底部に位置するシートとが同化した表示対象が現れ、表示板の裏面に光を当てて表示板を見る場合には、透過光により第１の貫通孔が表示される。
【０００８】
請求項２の発明は、請求項１に記載の表示具において、前記表示板は、前記第１の貫通孔とほぼ同形の窪みを備え、前記表示板の表面には、該表面にメッシュ模様を形成するためのメッシュ形成位置に、前記各第１の貫通孔を配置して模様等の表示対象が形成され、前記メッシュ形成位置であり、かつ、前記第１の貫通孔が未配置のところに、前記窪みが配置されていることを特徴とする。
【０００９】
請求項３の発明は、請求項２に記載の表示具において、前記表示板は、該表示板の表面から裏面に貫通し、前記第１の貫通孔が前記表示板の表面に形成する形状とほぼ同じ孔形状を持ち、透過光の一部を遮光する遮光部を持つ第２の貫通孔を備え、前記第１の貫通孔と前記第２の貫通孔とで模様等の表示対象を形成したことを特徴とする。
【００１０】
請求項４の発明は、請求項３に記載の表示具において、前記第２の貫通孔には、前記遮光部の遮光する光の量がそれぞれ異なる複数の種類があることを特徴とする。
【００１１】
請求項５の発明は、請求項１〜４のいずれか１項に記載の表示具において、前記表示板の表面と前記各貫通孔の内壁面との両方を、または、前記各貫通孔の内壁面を、任意の色の前記シートと同一の色にしたことを特徴とする。
【発明の効果】
【００１２】
請求項１の発明によれば、第１の貫通孔の内壁面とシートとが同じ色であるので、反射光で映し出される表示板の表面には、第１の貫通孔で形成される表示対象であり、かつ、第１の貫通孔の内壁面と貫通孔の底部に位置するシートとが同化した表示対象が現れる。また、表示板の裏面から光を当てると、シートが光透過性を持つので、第１の貫通孔により形成される表示対象が透過光で出現する。これにより、従来で用いたハーフミラーを用いることなく、表示板には第１の貫通孔による二通りの模様の表示が可能になる。
【００１３】
請求項２の発明によれば、各第１の貫通孔の内壁面およびシートと窪みとがほぼ同じ色であるので、反射光で映し出される表示板の表面には、第１の貫通孔の内壁面および貫通孔の底部に位置するシートと、窪みとにより形成されるメッシュ模様が現れる。また、表示板の裏面から光を当てると、シートが光透過性を持つので、第１の貫通孔により形成される模様等の表示対象が透過光で出現する。これにより、表示板には第１の貫通孔および窪みによるメッシュ模様と、第１の貫通孔による模様との二通りの異なる模様の表示が可能になり、装置の用途の多様化を可能にする。
【００１４】
請求項３および請求項４の発明によれば、透過光の量がそれぞれ異なる貫通孔で模様等の表示対象を形成するので、変化に富んだ表示対象を作ることを可能にする。
【００１５】
請求項５の発明によれば、表示板の表面と各貫通孔の内壁面との両方を、または、各貫通孔の内壁面を、任意の色のシートと同一の色にすることにより、任意の色で請求項１〜４までの表示具を作製することができ、デザインに応じた表示具を提供することで、装置の用途の多様化を可能にする。
【発明を実施するための最良の形態】
【００１６】
次に、この発明の各実施の形態について、図面を用いて詳しく説明する。
【００１７】
（実施の形態１）
この実施の形態による表示具を図１に示す。図１の表示具１は、絵や文字、模様などを表示対象としている。この表示具１は、板状の表示板１０とシート２０とで構成されている。
【００１８】
表示板１０は、孔などの形成が可能な材料で作られている。こうした材料には合成樹脂や金属など各種のものがあるが、この実施の形態では金属板が用いられている。表示板１０には多数の表示要素１１が形成されている。表示要素１１の形状は任意であり、例えば六角ハニカム形状や四角形状がある。この実施の形態では、表示要素１１の形状は円形である。各表示要素１１は絵や文字、模様などを形成する点、つまり画素である。表示要素１１はメッシュ形状に配列されている。メッシュ形状は任意であり、メッシュ形状には例えば４５度や６０度の千鳥模様状、格子状、煉瓦積み形状がある。
【００１９】
この実施の形態では、表示要素１１に主に三つの種類がある。一番目の表示要素１１は、図２に示すように、表示板１０の厚み方向に、かつ、表示板１０の表面１０１側に形成された窪み１１Ａである。なお、図２は、図１の複数の表示要素１１の中から一部を取り出して示した図である。窪み１１Ａは、表示板１０の厚さ方向に形成されている。窪み１１Ａは次のようにして形成される。表示板１０の表面１０１に対して、表示板１０を貫通しない状態で、同ピッチで同径の孔を設ける。窪み１１Ａの加工方法には各種あるが、この実施の形態ではエッチングを用いている。こうしたエッチング加工によって、表示板１０の表面１０１にはメッシュ模様が形成される。
【００２０】
二番目の表示要素１１は小径の貫通孔１１Ｂを含む。小径の貫通孔１１Ｂは、表示板１０を貫通する孔であり、表示板１０の表面１０１と裏面１０２とで径が異なっている。このために、小径の貫通孔１１Ｂの内部には段差が設けられ、これにより遮光部１１Ｂ１が形成されている。遮光部１１Ｂ１は小径の貫通孔１１Ｂを通る光の一部を遮光する。小径の貫通孔１１Ｂは次のようにして形成される。表面１０１に窪み１１Ａがメッシュ状に形成されている表示板１０の裏面１０２に対して、表示対象の形成に必要とする窪み１１Ａに中心位置を合わせ、かつ、窪み１１Ａに比べて孔径を小さくして、窪み１１Ａに貫通する孔を設ける。
【００２１】
三番目の表示要素１１は大径の貫通孔１１Ｃを含む。大径の貫通孔１１Ｃは、表示板１０を貫通する孔であり、表示板１０の表面１０１と裏面１０２とで径が同じである。大径の貫通孔１１Ｃは次のようにして形成される。表面１０１に窪み１１Ａがメッシュ状に形成されている表示板１０の裏面１０２に対して、表示対象の形成に必要とする窪み１１Ａに中心位置を合わせ、かつ、窪み１１Ａと径を同じにして、窪み１１Ａに連通する孔を設ける。
【００２２】
小径の貫通孔１１Ｂおよび大径の貫通孔１１Ｃは、先に述べたように、エッチングによって形成される。なお、エッチングの方法には、両面エッチング、片側エッチング、表裏からの深さを変えたエッチング等があるが、この実施の形態の図は通常の両面エッチング、つまり、表裏からの深さが同一の両面エッチングで描かれている。
【００２３】
シート２０は、表示板１０の裏面１０２の全面に貼り付けられている。なお、シート２０は薄いものであるが、シート２０を図面上に表すために、図１および以降の図ではシート２０に厚みを付けている。シート２０の色としては、表示要素１１の一部となる、後述する窪み１１Ａ１１、１１Ａ１２、小径の貫通孔１１Ｂの内壁面１１Ｂ１１および大径の貫通孔１１Ｃの内壁面１１Ｃ１１、つまり、各面の梨地肌とほぼ同じ色を用いる。例えば、表示板１０がＳＵＳ材で作られている場合、シート２０の色として白〜薄灰の範囲の色を用いる。さらに、シート２０は光を透す光透過性を持つ。このように、梨地肌とほぼ同じ色を持ち、かつ、光透過性を持つ材料として、紙や樹脂シートなどがある。
【００２４】
先に述べたように、表示要素１１には主に三つの種類があり、一番目の表示要素１１は窪み１１Ａである。二番目の表示要素は、小径の貫通孔１１Ｂの内壁面１１Ｂ１１と、小径の貫通孔１１Ｂの底面に位置するシート２０とで形成される。同じように、三番目の表示要素は、大径の貫通孔１１Ｃの内壁面１１Ｃ１１と、大径の貫通孔１１Ｃの底面に位置するシート２０とで形成される。反射光で映し出される３つの表示要素１１はすべて同じ画素となる。また、透過光で映し出される３つの表示要素１１については、一番明るい画素となるのが大径の貫通孔１１Ｃであり、二番目に明るい画素となるのが小径の貫通孔１１Ｂである。また、窪み１１Ａは暗い画素となる。
【００２５】
こうした構造の表示具１は次のようにして用いられる。表示具１は絵や文字、模様などの表示対象を出現させるが、表示具１の目視方向は、図３（ａ）に示すように、表示板１０の表面１０１側である。図３（ａ）では、主な目視方向を符号Ａで表している。光は、表示板１０の表面１０１側から入射して反射する。一方、小径の貫通孔１１Ｂの内壁面１１Ｂ１１と、大径の貫通孔１１Ｃの内壁面１１Ｃ１１と、シート２０との色合いがほぼ同じである。これにより、図３（ｂ）に示すように、小径の貫通孔１１Ｂの内壁面１１Ｂ１１とシート２０とが同化し、大径の貫通孔１１Ｃの内壁面１１Ｃ１１とシート２０とが同化する。この結果、視認方向Ａからの反射光により、表示板１０の表面に形成されている表示要素１１、つまり、窪み１１Ａの内壁面１１Ａ１１と底面１１Ａ１２とから成る一番目の表示要素１１と、貫通孔１１Ｂの内壁面１１Ｂ１１と底面のシート２０とから成る二番目の表示要素１１と、大径の貫通孔１１Ｃの内壁面１１Ｃ１１と底面のシート２０とから成る三番目の表示要素１１とで形成される、単純なメッシュ模様だけが見える。
【００２６】
ところで、図４（ａ）に示すように、表示板１０の裏面１０２を照射方向Ｂからバックライトで照らすと、シート２０には光透過性があるので、図４（ｂ）に示すように、目視方向Ａからは、表示要素１１の小径の貫通孔１１Ｂと大径の貫通孔１１Ｃとが見えて、表示対象が出現する。このとき、窪み１１Ａは光を透さないので、暗い画素となる。
【００２７】
こうした表示具１を用いると、図５に示すような表示対象の出現も可能になる。通常、図５（ａ）に示すように、無地のメッシュ模様が表示具１からの反射光によって見える。表示具１の裏面をバックライトで照らすと、図５（ｂ）に示すように、表示対象として「ＳＧＫ」の文字が出現する。これらの表示対象を出現させるために、小径の貫通孔１１Ｂを多数用いて文字の部分を形成し、文字以外の部分を、大径の貫通孔１１Ｃを多数用いて形成する。これにより、径の小さい小径の貫通孔１１Ｂで形成される文字の部分が暗く見え、径の大きい大径の貫通孔１１Ｃで形成される文字周囲の部分が明るく見える。なお、こうした模様は、大径の貫通孔１１Ｃと窪み１１Ａ、あるいは小径の貫通孔１１Ｂと窪み１１Ａの組み合わせでも、同じように作ることができる。図５（ｃ）に大径の貫通孔１１Ｃと窪み１１Ａの場合の例を示す。
【００２８】
こうして、この実施の形態によれば、表示板１０とシート２０とで表示具が構成されるので、ハーフミラーを使わずに、反射光で見える模様と、バックライトを当てて見える模様とを異ならせることができる。また、図６に示すように、小径の貫通孔１１Ｂの第２の貫通孔１１Ｂ２１として、それぞれ径の異なる複数の種類を用いることにより、変化に富んだ文字や模様を表示することができる。さらに、この表示具１を金属で作った場合には、溶接、プレス等の加工も容易なため、照明、インテリア、壁面装飾、ブラインド、看板等に利用可能であり、表示具１の用途の多様化を可能にする。
【００２９】
（実施の形態２）
この実施の形態は、実施の形態１の表示具１を用いた表示装置である。図７に示すように、表示装置２は、表示具１と照明装置３０とで構成されている。照明装置３０は、表示具１の表示板１０の裏面１０２側を照らすものであり、バックライト３１と制御部３２とを備えている。バックライト３１は、制御部３２からの電源供給によって発光する。バックライト３１として例えば蛍光灯や発光ダイオードなどがある。制御部３２は、スイッチのオン・オフや、外部から加えられるオン・オフ信号に応じて、バックライト３１に電源を供給する。
【００３０】
こうした表示装置２を用いると、図８に示すような表示対象の出現も可能になる。なお、図８は、この実施の形態による表示装置２を家電製品のスイッチパネル１０１〜１０４に用いる場合を示している。スイッチパネル１０１〜１０４の周囲は枠である。通常、スイッチパネル１０１〜１０４の表面には、図８（ａ）に示すように、無地のメッシュ模様が光の反射光によって見える。照明装置３０がスイッチパネルの裏面をバックライト３１で照らすと、図８（ｂ）に示すように、家電製品のスイッチの役割を示す表示対象が出現する。
【００３１】
これらの表示対象を出現させるために、スイッチパネル１０１の模様部分１０１Ａを、表示要素１１の窪み１１Ａもしくは小径の貫通孔１１Ｂを多数用いて形成し、背景部分１０１Ｂを、表示要素１１の小径の貫通孔１１Ｂまたは大径の貫通孔１１Ｃを多数用いて形成する。これにより、バックライト３１を透過する背景部分１０１Ｂの中に、バックライト３１を透過しない模様部分１０１Ａを浮き出すことができる。スイッチパネル１０２〜１０４についても同様である。
【００３２】
こうして、この実施の形態によれば、表示具１を家電製品のスイッチや警告灯などに適用することができ、表示具１の用途の多様化を可能にする。このときに、スイッチなどを使用するときだけ、模様を表示させることが可能である。
【００３３】
（実施の形態３）
この実施の形態では、実施の形態２で用いられた表示具１を次のようにしている。前述した実施の形態では、表示具１の表示板１０に形成された窪み１１Ａ、小径の貫通孔１１Ｂおよび大径の貫通孔１１Ｃの梨地肌の色にシート２０の色を合わせた。この実施の形態では、表示板１０の梨地肌を着色することによって、シート２０の色に梨地肌の色を合わせている。
【００３４】
こうした表示具１を備える表示装置２を用いると、図９に示すような表示対象の出現も可能になる。図９は、この実施の形態による表示装置２を、実施の形態２と同様に家電製品のスイッチパネル１０１〜１０４に用いる場合を示し、色は任意であるが図では黒にしている。通常、スイッチパネル１０１〜１０４の表面には、図９（ａ）に示すように、黒色の無地のメッシュ模様が光の反射光によって見える。スイッチパネルの裏面をバックライト３１で照らすと、図９（ｂ）に示すように、黒色の背景にスイッチの役割を示す表示対象が表示される。
【００３５】
これらの表示対象を表示するために、実施の形態３では、表示具１の表示板１０の表面１０１、窪み１１Ａの内壁面１１Ａ１１および底面１１Ａ１２、小径の貫通孔１１Ｂの内壁面１１Ｂ１１、大径の貫通孔１１Ｃの内壁面１１Ｃ１１をすべて黒で塗装する。また、シート２０には黒色のものを用いる。スイッチパネル１０１の場合、表示要素１１の小径の貫通孔１１Ｂまたは大径の貫通孔１１Ｃを多数用いて模様部分１０１Ａを形成し、表示要素１１の窪み１１Ａもしくは小径の貫通孔１１Ｂを多数用いて背景部分１０１Ｂを形成する。これにより、バックライト３１を透過しない黒色の背景部分１０１Ｂの中に、バックライト３１を透過する模様部分１０１Ａを浮き出すことができる。スイッチパネル１０２〜１０４についても同様である。なお、明暗の関係を逆にして、例えば図９（ａ）に示す模様から図８（ｂ）に示す模様に変えることも、勿論可能である。
【００３６】
こうして、この実施の形態によれば、窪み１１Ａ、小径の貫通孔１１Ｂ、大径の貫通孔１１Ｃおよびシート２０を着色することにより、デザインに応じた表示具１を提供することができ、表示具１の用途の多様化を可能にする。なお、この実施の形態は実施の形態１の表示具１にも、勿論、用いることが可能である。
【図面の簡単な説明】
【００３７】
【図１】実施の形態１による表示具の一例を示す斜視図である。
【図２】表示要素を示す断面図である。
【図３】表示対象の出現を説明する図であり、図３（ａ）は目視方向を説明する図、図３（ｂ）は表示対象の出現状態を示す図である。
【図４】表示対象の出現を説明する図であり、図４（ａ）は光を当てる方向を説明する図、図４（ｂ）は表示対象の出現状態を示す図である。
【図５】表示対象の出現を説明する図であり、図５（ａ）はバックライトを当てる前の様子を示す図、図５（ｂ）はバックライトを当てた後の様子を示す図、図５（ｃ）はバックライトを当てた後の様子を示す図である。
【図６】貫通孔の断面を示す図である。
【図７】実施の形態２による表示装置の一例を示す斜視図である。
【図８】実施の形態２による表示対象の出現を説明する図であり、図８（ａ）はバックライトを当てる前の様子を示す図、図８（ｂ）はバックライトを当てた後の様子を示す図である。
【図９】実施の形態３による表示対象の出現を説明する図であり、図９（ａ）はバックライトを当てる前の様子を示す図、図９（ｂ）はバックライトを当てた後の様子を示す図である。
【符号の説明】
【００３８】
１  表示具
１０  表示板
１０１  表面
１０２  裏面
１１Ａ  窪み
１１Ｂ  大径の貫通孔（第２の貫通孔）
１１Ｃ  小径の貫通孔（第１の貫通孔）
２０  シート
２  表示装置
【図１】
2010020038.tif 000003
【図２】
2010020038.tif 000004
【図６】
2010020038.tif 000005
【図７】
2010020038.tif 000006
【図３】
2010020038.tif 000007
【図４】
2010020038.tif 000008
【図５】
2010020038.tif 000009
【図８】
2010020038.tif 000010
【図９】
2010020038.tif 000011